【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  壁建造ユニット（１４）の第１の水平に延びるコースを前記第１のコースに垂直方向に隣接して位置している壁建造ユニットの第２の水平に延びるコースに取り付けるための相互接続部材（２６）であって、前記第１のコースおよび前記第２のコースの前記壁建造ユニット内に突き出ることができる突起（２４）を含む本体（２２）を備え、前記本体が、上面と下面とを有し、該各面が、その上に複数の前記突起（２４）を持つプレート（２２）であり、前記プレートが、前記第１のコースまたは前記第２のコースの２つの水平方向に隣接する壁建造ユニット（１４）の少なくとも一部を横切って延びることができ、前記上面または前記下面上の前記突起（２４）が、前記２つの水平方向に延びる隣接する壁建造ユニット内に突出するように配置されていることを特徴とする相互接続部材。
【請求項２】  請求項１記載の相互接続部材（６０，８０，９０，９５，１００，１０２，１１０，１１２，１１４）において、さらに、ジオグリッド・シート（１８）内の孔部（２８）を通して突き出るように成形され、適合された前記プレートの前記上面上に一組のジオグリッド保持部材（６６，９４，１０４）を備える相互接続部材。
【請求項３】  請求項２記載の相互接続部材（６０，８０，９０）において、さらに、その上にジオグリッド・シート（１８）を保持するために、前記ジオグリッド保持部材（６６）に取り付けられている保持キャップ（６７）を備える相互接続部材。
【請求項４】  請求項２記載の相互接続部材（１１０，１１２，１１４）において、前記ジオグリッド保持部材が、基部（１０９）より広い頂部（１０８）を有するテーパ状のポスト（１０４）である相互接続部材。
【請求項５】  請求項２記載の相互接続部材において、さらに、前記ジオグリッド保持部材（６６，９４，１０４）とそれに最も近い前記突起（６４）との間の前記プレートの部分に排水孔部を含む相互接続部材。
【請求項６】  請求項１記載の相互接続部材において、さらに、前記プレート（６２）の前記上面上の前記突起の基部の周囲にフランジ（７０）を備え、前記フランジが、壁建造ユニット（１４）に対して密封するためのリップ（７２）を有する相互接続部材。
【請求項７】  請求項６記載の相互接続部材において、前記フランジの前記リップ（
７２）が、２つまたはそれ以上の同心の密封凸部（７６）を有する相互接続部材。
【請求項８】  請求項２記載の相互接続部材において、前記ジオグリッド保持部材（９４）が、前記突起（６４）の方向に延びるほぼ水平な部分（９８）を有する、ほぼＬ字の形をしている相互接続部材。
【請求項９】  請求項１記載の相互接続部材において、前記プレート（２２）が長方形である相互接続部材。
【請求項１０】  請求項１記載の相互接続部材（１２６）において、前記プレート（１２２）がほぼＣ字形をしている相互接続部材。
【請求項１１】  請求項１記載の相互接続部材（３２６）において、前記プレートが半円筒形をしている相互接続部材。
【請求項１２】  請求項１記載の相互接続部材（２２６）において、前記プレートが中央開口部（５２）を備える梯形である相互接続部材。
【請求項１３】  請求項１記載の相互接続部材（４２６）において、前記プレートがほぼＬ字形をしている相互接続部材。
【請求項１４】  擁壁構造体であって、第１の水平に延びるコースを形成している相互に隣接して位置する第１の複数の壁建造ユニット（１４）と、第２の水平に延びるコースを形成している前記第１のコース上に相互に隣接して位置する第２の複数の壁建造ユニットと、前記第１のコースと前記第２のコースとの間の相互接続部材（２６）とを備え、該相互接続部材が、前記第１のコースおよび前記第２のコースの前記壁建造ユニット内に突き出ることができる突起（２４）を含む本体（２２）を備え、前記本体が、上面と下面とを有し、前記各面が、その上に複数の前記突起（２４）を持つプレート（２２）であり、該プレートが、前記第１のコースまたは前記第２のコースの２つの水平方向に隣接する壁建造ユニット（１４）の少なくとも一部を横切って延びていて、前記上面または前記下面上の前記突起（２４）が、前記２つの水平方向に延びる隣接する壁建造ユニット（１４）内に突出するように配置されていることを特徴とする擁壁構造体。
【請求項１５】  請求項１４記載の擁壁構造体において、さらに、前記第１および第２のコースの間から前記擁壁構造体の背後の盛り土内に延びるジオグリッド・シート（１８）を備え、前記ジオグリッド・シート（１８）が、その内部に複数の孔部（２８）を有し、前記ジオグリッド・シートが、前記第１または第２の組の前記突起（２４）が前記ジオグリッド・シート（１８）の前記孔部（２８）を通して突き出るように位置している擁壁構造体。
【請求項１６】  請求項１４記載擁壁構造体において、前記相互接続部材（６０，８０，９０，９５，１００，１０２，１１０，１１２，１１４）が、さらに、ジオグリッド・シート（１８）内の孔部（２８）を通して突き出るように特に成形され、適合された前記プレートの上面上に一組のジオグリッド保持部材（６６，９４，１０４）を備え、前記擁壁構造体が、さらに、前記第１および第２のコースの間から前記擁壁構造体の背後の盛り土内に延びるジオグリッド・シート（１８）を備え、前記ジオグリッド・シートが、その内部に複数の孔部（２８）を有し、前記ジオグリッド保持部材（６６，９４，１０４）が前記ジオグリッド・シート（１８）の前記孔部（２８）から突き出すように配置されている擁壁構造体。
【請求項１７】  請求項１６記載擁壁構造体において、壁建造ユニット（１４）の前記第２のコースが、前記ジオグリッド保持部材（６６，９４，１０４）をカバーしている擁壁構造体。
【請求項１８】  請求項１６記載擁壁構造体において、壁建造ユニット（１４）の前記第２のコースが、前記ジオグリッド保持部材（６６，９４，１０４）をカバーしていない擁壁構造体。
【請求項１９】  請求項１４記載の擁壁構造体において、前記壁建造ユニット（１４）が砂／土壌バッグである擁壁構造体。
【請求項２０】  請求項１４記載の擁壁構造体において、前記壁建造ユニット（１４）が硬化可能な建造ユニットである擁壁構造体。
【請求項２１】  請求項１９記載の擁壁構造体において、前記砂／土壌バッグが透明なカバーと装飾的な色付き盛り土を含む擁壁構造体。
【請求項２２】  請求項１９記載の擁壁構造体において、前記砂／土壌バッグがグランドカバー種子を含む擁壁構造体。
【請求項２３】  壁建造ユニット（１４）の複数のコースを有する擁壁構造体を建造する方法であって、第１の水平に延びるコースを形成するために、相互に隣接している第１の複数の壁建造ユニット（１４）を設置するステップと、前記第１のコース上に垂直方向に隣接しているコースの前記壁建造ユニット（１４）内に突き出ることができる突起（２４）を持つ本体（２２）を備える相互接続部材（２６）を設置するステップと、前記突起（２４）が前記第２のコースの前記壁建造ユニット（１４）内に突き出るように、前記第１のコース上に第２の水平に延びるコースを形成するために、相互に隣接する第２の複数の壁建造ユニット（１４）を設置するステップとを含み、前記本体が、上面と下面とを有するプレートであり、前記各面が、その上に複数の突起（２４）を持ち、前記プレート（２２）が、前記第１のコースまたは前記第２のコースの２つの水平方向に隣接する壁建造ユニット（１４）の少なくとも一部を横切って延びることができ、前記上面または前記下面上の前記突起（２４）が、前記２つの水平方向に延びる隣接する壁建造ユニット内に突出するように配置されていることを特徴とする相互接続部材。
【請求項２４】  請求項２３記載の方法において、さらに、前記第１のコース上に前記相互接続部材（２６）を設置する前に、前記第１のコースの頂部から前記擁壁構造体の背後の盛り土へ延びるジオグリッド・シート（１８）を、前記第１の組の突起（２４）が前記ジオグリッド・シート（１８）内の孔部（２８）を通して前記第１のコースの前記壁建造ユニット（１８）内に突き出るように設置するステップを含む方法。
【請求項２５】  請求項２３記載の方法において、さらに、前記第２のコースを形成するために、前記第２の複数の壁建造ユニット（１４）を設置する前に、前記第１のコースの頂部から前記擁壁構造体の背後の盛り土へ延びる前記相互接続部材（２６）上にジオグリッド・シート（１８）を、前記第１の組の突起（２４）が、前記ジオグリッド・シート（１８）内の孔部（２８）を通して前記第２のコースの前記壁建造ユニット（１４）内に突き出るように設置するステップを含む方法。
【請求項２６】  請求項２３記載の方法において、前記相互接続部材（６０，８０，９０，９５，１００，１０２，１１０，１１２，１１４）が、さらに、ジオグリッド・シート（１８）内の孔部（２８）を通して突き出るように成形され、適合された前記プレートの前記上面上に一組のジオグリッド保持部材（６６，９４，１０４）を備え、前記方法が、さらに、前記擁壁構造体の背後の盛り土内に延びる前記相互接続部材にジオグリッド・シート（１８）を取り付けるステップを含む方法。
【請求項２７】  請求項２３記載の方法において、前記壁建造ユニット（１４）が砂／土壌バッグである方法。
【請求項２８】  請求項２３記載の方法において、前記壁建造ユニット（１４）が硬化可能な建造ユニットである方法。
【請求項２９】  請求項２８記載の方法において、さらに、硬化可能な建造ユニット（１４）を硬化することができるか、または硬化させるステップを含む方法。
【請求項３０】  請求項２３記載の方法において、さらに、前記擁壁構造体の面に対してほぼ連続しているカバーを形成するために、前記擁壁構造体にカバー・プレート組立体（３０）を取り付けるステップを含む方法。
【請求項３１】砂／土壌バッグの第１の水平に延びるコースを前記第１のコース上に隣接して位置している砂／土壌バッグの第２の水平に延びるコースに取り付けるための相互接続部材であって、前記相互接続部材は、上面と下面とを有し、該各面がその上に複数の前記突起を持つプレートを備え、前記突起は、第１のコースおよび前記第２のコースの前記砂／土壌バッグ内に突き出ることができるように構成され、前記プレートが、前記第１のコースまたは前記第２のコースの２つの水平方向に隣接する砂／土壌バッグの少なくとも一部を横切って延びることができ、前記上面または前記下面上の前記突起が、前記２
つの水平方向に延びる隣接する砂／土壌バッグ内に突出するように配置されており、前記下面の前記突起は、前記相互接続部材が前記第１のコース上に配置されたときに前記プレートを前記第１のコース上に概ね水平位置に支持するための前記下面に配置された少なくとも３つの突起からなる相互接続部材。
【請求項３２】砂／土壌バッグの第１の水平に延びるコースを前記第１のコース上に隣接して位置している砂／土壌バッグの第２の水平に延びるコースに取り付けるための相互接続部材であって、前記相互接続部材は、上面と下面とを有し、該各面が、その上に複数の前記突起を持つプレートを備え、前記突起は、第１のコースおよび前記第２のコースの前記砂／土壌バッグ内に突き出ることができるように構成され、前記プレートが、前記第１のコースまたは前記第２のコースの２つの水平方向に隣接する砂／土壌バッグの少なくとも一部を横切って延びることができ、前記上面または前記下面上の前記突起が、前記２つの水平方向に延びる隣接する砂／土壌バッグ内に突出するように配置されており、前記相互接続部材はさらに、ジオグリッド・シート内の孔部を通して突き出るように成形され、適合された前記プレートの前記上面上の一組のジオグリッド保持部材を備える相互接続部材。
【請求項３３】請求項３２記載の相互接続部材において、さらに、前記ジオグリッド保持部材とそれに最も近い前記突起との間の前記プレートの部分に排水孔部を含む相互接続部材。
【請求項３４】請求項３１記載の相互接続部材において、前記下面の突起が、各列が少なくとも２つの突起を含む少なくとも２つの列に配列されている相互接続部材。
【請求項３５】擁壁構造体であって、第１の水平に延びるコースを形成している相互に隣接して位置する第１の複数の砂／土壌バッグと、第２の水平に延びるコースを形成している前記第１のコース上に相互に隣接して位置する第２の複数の砂／土壌バッグと、前記第１のコースと前記第２のコースとの間の相互接続部材とを備え、該相互接続部材が、上面と下面とを有し、前記各面がその上に複数の前記突起（２４）を持つプレートを備え、前記突起は、前記第１のコースおよび前記第２のコースの前記砂／土壌バッグ内に突き出ることができるように構成され、前記プレートが、前記第１のコースまたは前記第２のコースの２つの水平方向に隣接する砂／土壌バッグの少なくとも一部を横切って延びていて、前記上面または前記下面上の前記突起が、前記２つの水平方向に延びる隣接する砂／土壌バッグ内に突出するように配置されており、前記下面の前記突起は、前記相互接続部材が前記第１のコース上に配置されたときに前記プレートを前記第１のコース上に概ね水平位置に支持するための前記下面に配置された少なくとも３つの突起からなる擁壁構造体。
【請求項３６】請求項３５記載の擁壁構造体において、さらに、前記第１および第２のコースの間から前記擁壁構造体の背後の盛り土内に延びるジオグリッド・シートを備え、前記ジオグリッド・シートが、その内部に複数の孔部を有し、前記ジオグリッド・シートが、前記プレートの上面または下面の前記突起の少なくとも一部が前記ジオグリッド・シートの前記孔部を通して突き出るように位置している擁壁構造体。
【請求項３７】擁壁構造体であって、第１の水平に延びるコースを形成している相互に隣接して位置する第１の複数の砂／土壌バッグと、第２の水平に延びるコースを形成している前記第１のコース上に相互に隣接して位置する第２の複数の砂／土壌バッグと、前記第１のコースと前記第２のコースとの間の相互接続部材とを備え、該相互接続部材が、上面と下面とを有し、前記各面がその上に複数の前記突起（２４）を持つプレートを備え、前記突起は、前記第１のコースおよび前記第２のコースの前記砂／土壌バッグ内に突き出ることができるように構成され、前記プレートが、前記第１のコースまたは前記第２のコースの２つの水平方向に隣接する砂／土壌バッグの少なくとも一部を横切って延びていて、前記上面または前記下面上の前記突起が、前記２つの水平方向に延びる隣接する砂／土壌バッグ内に突出するように配置されており、前記相互接続部材はさらに、ジオグリッド・シート内の孔部を通して突き出るように成形され、適合された前記プレートの前記上面上の一組のジオグリッド保持部材を備え、前記擁壁構造体は、さらに、前記第１および
第２のコースの間から前記擁壁構造体の背後の盛り土内に延びるジオグリッド・シートを備え、前記ジオグリッド・シートが、その内部に複数の孔部を有し、前記ジオグリッド・シートが、前記ジオグリッド保持部材が前記ジオグリッド・シートの前記孔部を通して突き出るように位置している擁壁構造体。